(57)【要約】【課題】歯科治療ユニットにおける給排水ボックスに手摺部材を伸縮自在にかつ前後に移動可能に設け、該手摺部材によって乗降時の患者の動作を案内して、老人や身体不自由者が容易に乗り降りすることができるようにする。【解決手段】歯科治療椅子１０と、該歯科治療椅子１０の一方の側部に配設された給排水ボックス２０とを有する。給排水ボックス２０は、該給排水ボックスの側部より前記歯科治療椅子１０の前に矢印Ａ方向に伸縮自在に延長し、かつ、矢印Ｂ方向に移動可能な手摺部材３０を有する。患者が歯科治療椅子１０から降りる時は、手摺部材３０を図１の状態にし、この状態で、患者は手摺部材３０に掴まる。その状態で、手摺部材３０をＢ１の位置まで移動すると、患者は該手摺部材３０に掴まった状態で立つことができ、手摺部材３０に掴まりながら横方向に移動して、歯科治療椅子１０から降りることができる。乗る時は、その逆の経路を辿る。【選択図】　　　　図１
2004081713.tif 000002
【特許請求の範囲】
【請求項１】
歯科治療椅子と、該歯科治療椅子の一方の側部に配設された給排水ボックスとを有し、該給排水ボックスは、該給排水ボックスの側部より前記歯科治療椅子の前に延長し、かつ、前方上部位置より手前下部位置まで移動可能な手摺部材を有することを特徴とする歯科治療ユニット。
【請求項２】
前記手摺部材は伸縮可能であることを特徴とする請求項１に記載の歯科治療ユニット。
【請求項３】
前記手摺部材は折り返し可能であることを特徴とする請求項１又は２に記載の歯科治療ユニット。
【発明の詳細な説明】
【０００１】
【発明の属する技術分野】
本発明は、歯科用治療椅子、より詳細には、老人や身体不自由者が容易（楽）に乗降することのできる歯科治療椅子に関する。
【０００２】
【従来の技術】
図３は、本発明が適用される歯科治療椅子の一例を説明するための要部構成図で、図中、１０は歯科治療椅子で、該歯科治療椅子１０は、安頭台１１、バックレスト１２、コンターシート１３、レッグレスト１４、フットレスト１５、肘受け１６等とから成り、周知のように、歯科治療に当たり、患者は椅子に座り、頭を安頭台１１に固定し、肘を肘受け１６の上に乗せた状態で治療を受ける。治療中、術者は治療椅子を上下動、起倒、傾斜動等させて、患者を治療しやすい姿勢にして治療を行う。
【０００３】
【発明が解決しようとする課題】
しかし、上述のごとき従来の歯科治療椅子においては、老人や身体不自由者は、椅子に乗る際は、通常、バックレスト１２の方に向き、肘受け１６に掴まった状態で、フットレスト１５の上に乗り、該フットレスト１５の上で、足の向き（身体の向き）を変えて、コンターシート１３の上に座る（腰掛ける）等しており、また、降りる際は、その逆に、フットレスト１５の上で、肘受け１６の助けをかりて身体の向きをバックレスト１２側に向け、その状態で、すなわち、後ろ向きの状態で、フットレスト１５から降りる等しているが、老人や身体不自由者にとって、肘受けの位置が遠く、治療椅子への乗り降りが大変であった。
【０００４】
本発明は、このような実情に鑑みてなされたもので、特に、歯科治療ユニットにおける給排水ボックスに手摺部材を伸縮自在にかつ移動可能に設け、手摺部材によって乗降時の患者の動作を案内して、老人や身体不自由者が容易に乗り降りすることができるようにした歯科治療ユニットを提供することを目的としてなされたものである。
【０００５】
【課題を解決するための手段】
請求項１の発明は、歯科治療椅子と、該歯科治療椅子の一方の側部に配設された給排水ボックスとを有し、該給排水ボックスは、該給排水ボックスの側部より前記歯科治療椅子の前に延長し、かつ、前方上部位置より手前下部位置まで移動可能な手摺部材を有することを特徴としたものである。
【０００６】
請求項２の発明は、請求項１の発明において、前記手摺部材は伸縮可能であることを特徴としたものである。
【０００７】
請求項３の発明は、請求項１又は２の発明において、前記手摺部材は折り返し可能であることを特徴としたものである。
【０００８】
【発明の実施の形態】
図１は、本発明による歯科治療椅子の一実施例を説明するための要部斜視図で、図中、１０は歯科治療椅子、２０は給排水ボックスで、図示例の場合、歯科治療椅子１０は給排水ボックス２０の側部に一体的に取り付けられているが、必ずしも一体的でなくてもよい。３０は本発明によって取り付けられた手摺部材で、該手摺部材３０は給排水ボックス２０の側部から歯科治療椅子１０の前に（矢印Ａ方向に）伸縮可能でかつ前後に（矢印Ｂ方向に）移動可能となっている。
【０００９】
図２は、本発明による歯科治療ユニットを上から見た平面図で、図２（Ａ）は手摺部材３０が矢印Ａ１方向に最長に伸張し、かつ、矢印Ｂ１方向に最先端まで移動されている状態を示している。この状態では、手摺部材３０は歯科治療椅子の横幅Ｗ以上（Ｗ＋Ｗ１）に伸張しており、この延長部Ｗ１を有することにより、患者は該手摺部材３０に掴りやすくなっている。しかも、この時、手摺部材３０と歯科治療椅子１０の間は、患者が手摺部材３０に掴まって横向きに移動できる程度に開いており、これによって、患者は手摺部材３０に掴まりながら歯科治療椅子１０の前まで進み、その状態で、手摺部材３０を矢印Ｂ２方に回動して歯科治療椅子１０の手前側に倒すと、患者は、手摺部材３０に掴まったままの状態で歯科治療椅子１０に腰掛けることができる（図２（Ｂ））。
【００１０】
歯科治療中、手摺部材３０は、図２（Ｃ）に示すように、短縮化され、好ましくは、給排水ボックス２０内に収納されて、歯科治療椅子１０の上下動、起倒、傾動等の邪魔にならないようになっている。
【００１１】
治療終了後は、前記と逆に、まず、患者の前に手摺部材３０を伸張させ（図２（Ｂ）の状態にし）、患者が該伸張した手摺部材３０に掴まった状態で、該手摺部材３０を前方上方に押して図２（Ａ）に示す位置にして患者を立たせ、その状態で、患者は手摺部材３０に掴まりながら横方向に移動し、歯科治療椅子１０の側方に抜けることができる。
【００１２】
なお、以上には、手摺部材３０をテレスコピックに伸縮自在にした場合の例を示したが、本発明は、上記実施例に限定されるものではなく、例えば、図２（Ｄ）に示すように、ピン軸（関節）Ｐ１，Ｐ２等を介して連結して、折り畳み式に伸縮できるようにしてもよいし、両者を組み合わせて伸縮自在としてもよいことは容易に理解されよう。
【００１３】
【発明の効果】
以上の説明から明らかなように、本発明によると、給排水ボックスに配設された手摺部材を伸縮自在にかつ前後方向に移動するようにすることによって、患者が治療椅子へ乗る時、及び、治療椅子から降りる時の動作を助けるようにしたので、老人や身体不自由の人でも、容易に、治療椅子に乗り降りすることができる。
【図面の簡単な説明】
【図１】本発明による歯科治療椅子の一実施例を説明するための要部概略斜視図である。
【図２】本発明による歯科治療ユニットの使用状態を上部から見た時の平面図である。
【図３】従来の歯科治療椅子の一例を説明するための図である。
【符号の説明】
１０…歯科治療椅子、１１…安頭台、１２…バックレスト、１３…コンターシート、１４…レッグレスト、１５…フットレスト、１６…肘受け、２０…給排水ボックス、３０…手摺部材。
【図１】
2004081713.tif 000003
【図２】
2004081713.tif 000004
【図３】
2004081713.tif 000005